(57)【要約】      （修正有）【課題】簡素な構造で車両への積み降ろしの利便性の向上を図りつつ、使用性を向上させ、また、温室等への適用など汎用性を向上させた脱着式プランターコンテナを提供する。【解決手段】前板１２１、左側板１２２、右側板１２３、後板、および底板１２５を有する箱体と、底板１２５に形成された前脚１３１と、ローラ付後脚と、コンテナ脱着装置付き車両に搭載する場合に案内するガイド１３３と、箱体を車両に固縛する固縛装置と、前板１２１に固定される掛合部材１３５と、を備え、車両に搭載されるときには、車両のフックで掛合部材１３５を引っ掛けて車両の前方に移動させて搭載し、車両から降ろすときには、フックで掛合部材１３５を引っ掛けて車両の後方に移動させ、積み降ろし、内部に植栽土壌を積載する。【選択図】図３
0003170022.tif 000002
【実用新案登録請求の範囲】
【請求項１】
前板、左側板、右側板、後板、および底板を有する箱体と、
前記底板に形成された前脚と、
前記底板に形成されたローラと、
コンテナ脱着装置付き車両に搭載する場合に案内するガイドと、
前記箱体を前記コンテナ脱着装置付き車両に固縛する固縛装置と、
前記前板に固定される掛合部材と、を備え、
コンテナ脱着装置付車両に搭載されるときには、前記コンテナ脱着装置付き車両のフックで前記掛合部材を引っ掛けて前記車両の前方に移動させて搭載し、
コンテナ脱着装置付車両から降ろすときには、前記コンテナ脱着装置付き車両のフックで前記掛合部材を引っ掛けて前記車両の後方に移動させ、積み降ろし、
内部に植栽土壌を積載することを特徴とする脱着式プランターコンテナ。
【請求項２】
前記箱体において、前記左側板、前記右側板、および前記後板の立設高さが前記前板の立設高さよりも低いことを特徴とする請求項１に記載の脱着式プランターコンテナ。
【請求項３】
複数の逆Ｕ字形状の骨部材を、該骨部材の両端をそれぞれ前記左側板および前記右側板から立設させることにより、前記箱体の上方に横架し、
複数の該骨部材の上面から前後左右の側面までシートを覆設したことを特徴とする請求項１または請求項２に記載の脱着式プランターコンテナ。
【請求項４】
前記シートが、防水シートおよび／または網シートであり、
該防水シートおよび／または該網シートの側面が、その下端から上方まで開閉自在な縦スリットを複数個有することにより、複数のカーテン部に分割され、該カーテン部ごとに上下方向に開閉自在であることを特徴とする請求項１ないし請求項３に記載の脱着式プランターコンテナ。
【考案の詳細な説明】
【技術分野】
【０００１】
本考案は、コンテナ脱着装置付車両を利用して移動可能であり、コンテナ内部に植栽土壌を積載して使用する脱着式プランターコンテナに関する。
【背景技術】
【０００２】
特許文献１に記載の発明は、側壁の上端や側壁の四隅等に踏圧など上方から大きな荷重が加わった際の転倒を防止することができ、設置状態の安定性が高い植栽コンテナを提供することを課題とし、底板１１と側壁上端１２ａが側壁下端１２ｂよりも外方に位置する側壁１２を有する上方開放の植栽コンテナであって、底板１１から下方に突出形成されている支持脚１３２に外方へ突出する補助脚１４を設け、補助脚１４の外方の先端部１４ｂが側壁上端１２ａよりも内側の位置まで突出するようにしたものである。
【０００３】
特許文献２に記載の発明は、屋上緑化用植栽コンテナなどにおいて潅水、酸素補給と共に強風、日照、寒暖に対する保護措置を提供することを課題とし、コンテナ１の土壌を充填する底部近傍側面の相対する2辺に一対の開口１１を設け、該開口に連通する多孔質、若しくは網目構造からなる通気管２を設けて、該通気管内に潅水用配管３を配置し、固定用フレーム４を挿通して強風などに対する固定構造を構成すると共に容器底部にマット状の不織布性吸水シートを敷設し過剰な水分を吸水させる。これらの外部給水、固定構造は、多数配列したコンテナー列周囲の縁石５によってカバーする。さらに、コンテナー側壁隅部に植物支持用及び／又は植物保護ート支持用の支柱支持孔１２を設けて、支柱を立設し、保護シート支持や植物支持に用いたものである。
【先行技術文献】
【特許文献】
【０００４】
【特許文献１】特開２００７−１６６９０７号公報
【特許文献２】特開２００５−２９５８７６号公報
【考案の概要】
【考案が解決しようとする課題】
【０００５】
植栽コンテナの特許文献としては、特許文献１のものや特許文献２のものが挙げられるが、これらはいずれも移動の便については考慮されていないものである。植栽コンテナは、内部に植栽土壌を積載するものであるため、相当程度の重量物となるものであり、特に大型の植栽コンテナではこの問題が顕著となる。
【０００６】
そこで本考案は、簡素な構造で車両への積み降ろしの利便性の向上を図りつつ、使用性を向上させ、また、温室等への適用など汎用性を向上させた脱着式プランターコンテナを提供することを課題とする。
【課題を解決するための手段】
【０００７】
上記課題に鑑み、請求項１の考案は、前板、左側板、右側板、後板、および底板を有する箱体と、前記底板に形成された前脚と、前記底板に形成されたローラと、コンテナ脱着装置付き車両に搭載する場合に案内するガイドと、前記箱体を前記コンテナ脱着装置付き車両に固縛する固縛装置と、前記前板に固定される掛合部材と、を備え、コンテナ脱着装置付車両に搭載されるときには、前記コンテナ脱着装置付き車両のフックで前記掛合部材を引っ掛けて前記車両の前方に移動させて搭載し、コンテナ脱着装置付車両から降ろすときには、前記コンテナ脱着装置付き車両のフックで前記掛合部材を引っ掛けて前記車両の後方に移動させ、積み降ろし、内部に植栽土壌を積載することを特徴とする脱着式プランターコンテナである。
【０００８】
本考案は、前記箱体において、前記左側板、前記右側板、および前記後板の立設高さが前記前板の立設高さよりも低いことを特徴とすることが好ましい。
【０００９】
本考案は、複数の逆Ｕ字形状の骨部材を、該骨部材の両端をそれぞれ前記左側板および前記右側板から立設させることにより、前記箱体の上方に横架し、複数の該骨部材の上面から前後左右の側面までシートを覆設したことを特徴とすることが好ましい。
【００１０】
本考案は、前記シートが、防水シートおよび／または網シートであり、該防水シートおよび／または該網シートの側面が、その下端から上方まで開閉自在な縦スリットを複数個有することにより、複数のカーテン部に分割され、該カーテン部ごとに上下方向に開閉自在であることを特徴とすることが好ましい。
【考案の効果】
【００１１】
本考案によれば、脱着式コンテナの移動の利便性を活用した植栽用プランターを得ることができる。ここで、左側板、右側板、および後板の立設高さが前板の立設高さよりも低く設定すれば、本考案の脱着式プランターコンテナの箱体の上に使用者が上がって植物の手入れをすることが容易となる。また、積載する植栽土壌の必要量が少ない場合にまで必要以上に植栽土壌を搭載することなく外部からの光を採り入れることが可能となる。本考案において骨部材とビニルシートを設けることとすれば、上記の効果に加え、本考案の脱着式プランターコンテナを温室化することができる。
【図面の簡単な説明】
【００１２】
【図１】本考案の第１実施形態による脱着式プランターコンテナ１００の平面図である。
【図２】同実施形態による脱着式プランターコンテナ１００の底面図である。
【図３】同実施形態による脱着式プランターコンテナ１００の正面図である。
【図４】同実施形態による脱着式プランターコンテナ１００の背面図である。
【図５】同実施形態による脱着式プランターコンテナ１００の左側面図である。
【図６】本考案の第２実施形態による脱着式プランターコンテナ２００の平面図である。
【図７】同実施形態による脱着式プランターコンテナ２００の正面図である。
【図８】同実施形態による脱着式プランターコンテナ２００の左側面図である。
【図９】同実施形態による脱着式プランターコンテナ１００の斜視図である。
【図１０】本考案の第１実施形態による脱着式プランターコンテナ１００の積み降ろしの様子を表す側面図である。
【考案を実施するための形態】
【００１３】
以下に、本考案の好適な一実施形態である脱着式プランターコンテナ１００について図面を参照して説明する。
【００１４】
第１実施形態の脱着式プランターコンテナ１００は、図１〜図５に示す通り、コンテナ脱着装置付車両１１０のフック１１１に脱着自在に掛合することにより、コンテナ脱着装置付車両１１０に積み降ろしできるようにしたものである。箱体１２０は、前板１２１、左側板１２２、右側板１２３、後板１２４、および底板１２５からなる上部が開放された箱状のものである。底板１２５には、前脚１３１、ローラ付後脚１３２、ガイド１３３、固縛装置１３４、および掛合部材１３５が設けられる。左側板１２２および右側板１２３の上部には、吊用部材１４１がそれぞれ前後２カ所ずつ設けられる。
【００１５】
左側板１２２、右側板１２３、および後板１２４は、前板１２１よりも低い高さで設けられる。本実施例では、左側板１２２、右側板１２３、および後板１２４の高さは底板１２５の上面から６２０ｍｍであり、前板１２１の高さは底板１２５の上面から９００ｍｍである。左側板１２２、右側板１２３、および後板１２４の高さは前板１２１と同一であることは妨げられず、コンテナのサイズや植栽用途により適宜選択するものとする。
【００１６】
前脚１３１およびローラ付後脚１３２は、折畳構造を備え、フックで箱体１２０に掛け止めすることができる。前脚１３１と、ローラ付後脚１３２とは、折畳構造を備えていなくてもよい。ガイド１３３は、コンテナ脱着装置付車両１１０に搭載する場合に案内するためのものであり、底板１２５の下面に前後の長手方向に亘り設けられた左右一対のレール状部材である。固縛装置１３４は、箱体１２０をコンテナ脱着装置付車両１１０に固縛するためのピンを備えたものである。掛合部材１３５は、コンテナ脱着装置付車両１１０のアーム１１２のフック１１１と係脱自在な略Ｕ字状部材の両端を箱体１２０の前板１２１に固着した部材であり、両側にはリブ１３６を設けてある。
【００１７】
脱着式プランターコンテナ１００の使用について説明する。脱着式プランターコンテナ１００をコンテナ脱着装置付車両１１０に搭載するときには、図１０に示す通り、まず、コンテナ脱着装置付車両１１０のフック１１１で掛合部材１３５を引っ掛けて、アーム１１２により脱着式プランターコンテナ１００の前方を吊り上げる。この状態において、脱着式プランターコンテナ１００の前脚１３１は折り畳んでおくとよい。引き続き、脱着式プランターコンテナ１００の前方をアーム１１２により吊り上げつつ、ローラ付後脚１３２を利用してコンテナ脱着装置付車両１１０に引き寄せて移動させ、ガイド１３３を利用してコンテナ脱着装置付車両１１０に積載する。積載作業中、脱着式プランターコンテナ１００の荷重が十分にコンテナ脱着装置付車両１１０にあずけられたところで、ローラ付後脚１３２を折り畳んでから積載作業を継続するとよい。脱着式プランターコンテナ１００をコンテナ脱着装置付車両１１０へ積載し終わったら、脱着式プランターコンテナ１００の固縛装置１３４とコンテナ脱着装置付車両１１０の固縛装置（図示略）を係合させて固縛して作業を完了する。脱着式プランターコンテナ１００をコンテナ脱着装置付車両１１０から降ろすときには、これと逆の順に操作を行う。脱着式プランターコンテナ１００の使用状態においては箱体１２０に適宜、植栽土壌を積載し、使用する。
【００１８】
脱着式プランターコンテナ１００の移動については、左側板１２２および右側板１２３の上部に設けられた吊用部材１４１の穴に吊ワイヤを用いてユニック車等のクレーンを用いて行ってもよい。また、短距離の移動にはフォークリフトによって行うこともできる。フォークリフトのツメは適宜の位置を選択し得るが、例えば、前脚１３１とローラ付後脚１３２との間において、ガイド１３３を持ち上げる位置に差し込むことができる。
【００１９】
脱着式プランターコンテナ１００の効果について説明する。脱着式プランターコンテナ１００によれば、脱着式コンテナの移動の利便性を活用した植栽用プランターを得ることができる。左側板１２２、右側板１２３、および後板１２４の立設高さが前板１２１の立設高さよりも低いので、箱体１２０の上に使用者が上がって植物の手入れをすることが容易となる。また、積載する植栽土壌の必要量が少ない場合にまで必要以上に植栽土壌を搭載することなく外部からの光を採り入れることが可能となるため、植栽土壌の節約や軽量化を図ることができる。
【００２０】
第２実施形態の脱着式プランターコンテナ２００は、図６〜図９に示す通り、第１実施形態の脱着式プランターコンテナ１００に骨部材２５０とシート２６０を設けたものである。本実施形態による脱着式プランターコンテナ２００は第１実施形態の脱着式プランターコンテナ１００と共通のものを使用するため、部品番号を２００番台とし、説明はこれを援用する。
【００２１】
骨部材２５０は、シート２６０を設置するための逆Ｕ字形状の部材である。骨部材２５０は、逆Ｕ字形状の開放側を下方に向けて、二つの端辺が左側板２２２および右側板２２３の各々の側面において固定されることにより立設される。骨部材２５０は前後方向に適宜間隔を空けて複数本設置される。本実施例では縦骨部材２５１〜２５４の４本を設ける。縦骨部材２５１〜２５４の上方においては、水平に設けられる補助骨部材２５５により各々を固定し、強度補強を図っている。骨部材２５０の高さは任意に設定することができるが、内部での作業性や植栽の用途によって適宜選択するとよい。
【００２２】
シート２６０は、立設された縦骨部材２５１〜２５４の上面から前後左右の側面まで覆設される下方が開放された形状のシートである。本実施例では、防水シート２６１および網シート２６２を重ねて設けられる二重構造である。防水シート２６１の側面には、その下端から上方までファスナーにより開閉自在な縦スリット２６３が複数備わる。本実施例では縦スリット２６３を側面の四隅および左右側面の中央に設けているが、これに限らず任意にとり得る。縦スリット２６３により分割された防水シート２６１の側面には、ロールアップ可能なカーテン部２６４が形成されることとなる。防水シート２６１の材質は任意の物を用いることができる。
【００２３】
網シート２６２は、防水シート２６１と同様の構造を持つものであり、構造の説明はこれを援用する。網シート２６２は、防水シート２６１と縦骨部材２５１〜２５４との間に設置されるので、サイズを適宜調整するとよい。網シート２６２の材質は任意の物を用いることができる。本実施例では、網シート２６２を防水シート２６１と同様の構造を持つものとし、上面から前後左右の側面にかけての全てを防水シート２６１および網シート２６２の二重構造にしているが、防水シート２６１のカーテン部２６４に相当する部分にのみ網シート２６２を設けてもよい。
【００２４】
防水シート２６１の側面上部には、開け放した防水シート２６１および網シート２６２を上部で固定するための係止フック２６５が適宜設けられる。防水シート２６１および網シート２６２の側面上部の裏面には、係止フック２６５を係止するための係止環（図示略）が設けられる。
【００２５】
脱着式プランターコンテナ２００の効果について説明する。脱着式プランターコンテナ２００によると、脱着式プランターコンテナ１００の効果に加え、防水シート２６１および網シート２６２を開閉自在に設けることが可能となり、脱着式プランターコンテナを温室化することができる。防水シート２６１および網シート２６２をかぶせることで、無農薬野菜等の育成ができる。シート２６０として寒暖保護となるビニールを用いる場合、温室化することができる。また、屋上に置くことで下の階への寒暖に対する保護となる。防水シート２６１の開閉は、複数に分割されたカーテン部２６４をロールアップしたり、引き下ろしたりすることにより、部分的に行うことができる。網シート２６２も防水シート２６１と同様に開閉できる。防水シート２６１と網シート２６２の開閉はそれぞれ独立して行うことができ、防水シート２６１および網シート２６２を閉じた状態、防水シート２６１および網シート２６２を開いた状態、網シート２６２を閉じて防水シート２６１のみ開いた状態を各カーテン部２６４において別個にとることができる（図９参照）。上記の通り、カーテン部２６４を部分的に開閉可能なため、風通しや温度・湿度等の内部環境の調整も行うことができる。
【００２６】
なお、本考案の実施の形態は、上記実施形態に何ら限定されるものではなく、本考案の技術的思想を逸脱しない範囲において、当該技術的範囲に属する限り種々の改変等の形態を採り得る。
【符号の説明】
【００２７】
１００・・・脱着式プランターコンテナ
１１０・・・コンテナ脱着装置付車両
１１１・・・フック
１１２・・・アーム
１２０・・・箱体
１３１・・・前脚
１３２・・・ローラ付後脚
１３３・・・ガイド
１３４・・・固縛装置
１３５・・・掛合部材
２５０・・・骨部材
２５１〜２５４・・・縦骨部材
２５５・・・補助骨部材
２６０・・・シート
２６１・・・防水シート
２６２・・・網シート２６２
２６３・・・縦スリット
２６４・・・カーテン部
２６５・・・係止フック
【図１】
0003170022.tif 000003
【図２】
0003170022.tif 000004
【図３】
0003170022.tif 000005
【図４】
0003170022.tif 000006
【図５】
0003170022.tif 000007
【図６】
0003170022.tif 000008
【図７】
0003170022.tif 000009
【図８】
0003170022.tif 000010
【図９】
0003170022.tif 000011
【図１０】
0003170022.tif 000012
【手続補正書】
【提出日】平成23年6月24日(2011.6.24)
【手続補正１】
【補正対象書類名】実用新案登録請求の範囲
【補正対象項目名】請求項４
【補正方法】変更
【補正の内容】
【請求項４】
前記シートが、防水シートおよび／または網シートであり、
該防水シートおよび／または該網シートの側面が、その下端から上方まで開閉自在な縦スリットを複数個有することにより、複数のカーテン部に分割され、該カーテン部ごとに上下方向に開閉自在であることを特徴とする請求項３に記載の脱着式プランターコンテナ。